【手続補正書】
【提出日】平成16年11月15日(2004.11.15)
【手続補正１】
【補正対象書類名】明細書
【補正対象項目名】全文
【補正方法】変更
【補正の内容】
【書類名】    明細書
【発明の名称】  せん定した枝受け整理用手動車
【特許請求の範囲】
【請求項１】せん定した枝を受け、枝の一端を揃えて整理するための手動車において、車体に取り付けられ、底板と該底板から上方に向けて断面がほぼＶ字状に傾斜する側面板と該側面板の後端部に設けられる後方壁とからなる収納箱と、該収納箱の前方を上向きに傾斜しておくスタンドと、車体を移動するための移動用車輪と、車体前方のハンドルに設けられた小枝収納具とを備えたことを特徴とする枝受け整理用手動車。
【請求項２】収納箱に収納された枝を締め付けるための締め付け用紐と、該紐の一端が取り付けられるロッドと、該ロッドと連動するシフトレバーとを備え、前記締め付け用紐を前記枝に巻きつけて、前記シフトレバーを操作することにより、紐を緊張させて枝を締め付け、結束状態にする結束用締め付け装置を備えたことを特徴とする請求項１記載の枝受け整理用手動車。
【請求項３】前記スタンドが荷台と兼用のスタンドであることを特徴とする請求項１記載の枝受け整理用手動車。
【発明の詳細な説明】
【０００１】  
【発明の属する技術分野】
本発明は、果樹園などにおいて、せん定作業中にせん定する樹木の近くに止めておいて、せん定した枝を受けて簡単に整理するための枝受け整理用手動車に関する。
【０００２】
【従来の技術】
従来は、本願発明に係るような、せん定した枝を受けて簡単に整理するための手動車については見出されていない。せん定した枝や枝を誘引していた紐などは、すべて一旦地面に落とし、その後、落とした枝や紐などを拾い集めて、長い枝は一端を揃えて結束し、短い枝や紐は容器などに集め整理し処分する作業をしていた。
【０００３】
【発明が解決しようとする課題】
しかし、果樹園などにおける、せん定に係る枝の量は膨大なものであり、せん定した枝をすべて一旦地面に落とし、この落とした枝や紐などを拾い集めて、長い枝と短い枝と紐などを選り分けて、整理する作業は無駄な手間が多く重労働であり、且つ中腰での作業は腰痛を引き起こす原因ともなり問題であった。そこで、本発明者は、鋭意研究した結果、本発明に想到したものであって、本発明は、せん定した枝を一旦地面に落とし、その後、落とした枝や紐などを拾い集める無駄を解消した枝受け整理用手動車を提供することを第一の課題とし、更に、長い枝と短い枝と紐などを選り分けて、整理して束ねる作業を軽減する枝受け整理用手動車を提供することを第二の課題とするものである。
【０００４】
【課題を解決するための手段】
本発明は、せん定による長い枝の整理をするための収納箱と、短い枝を収納するための小枝収納具、収納箱に取り付けて収納された枝を結束するための締め付け装置、荷台と兼用するスタンドなどを備えた枝受け整理用手動車に関するものであって、前記課題を解決するための手段は以下の通りである。
前記の課題を解決するために、本発明は、せん定した枝を受け、枝の一端を揃えて整理するための手動車において、車体に取り付けられ、底板と該底板から上方に向けて断面がほぼＶ字状に傾斜する側面板と該側面板の後端部に設けられる後方壁とからなる収納箱と、該収納箱の前方を上向きに傾斜しておくスタンドと、車体を移動するための移動用車輪と、車体前方のハンドルに設けられた小枝収納具とを備えたことを特徴とする枝受け整理用手動車とする（請求項１）。
【０００５】
また、前記の課題を解決するために、本発明は、収納箱に収納された枝を締め付けるための締め付け用紐と、該紐の一端が取り付けられるロッドと、該ロッドと連動するシフトレバーとを備え、前記締め付け用紐を前記枝に巻きつけて、前記シフトレバーを操作することにより、紐を緊張させて枝を締め付け、結束状態にする結束用締め付け装置を備えたことを特徴とする前記の枝受け整理用手動車とすることが好ましい（請求項２）。
【０００６】
また、前記の課題を解決するために、本発明は、前記スタンドが荷台と兼用のスタンドであることを特徴とする前記の枝受け整理用手動車とすることが好ましい（請求項３）。
【０００７】
【発明の実施の形態】
本発明の実施の形態について、以下に図を参照して説明する。図１は、本発明の実施の形態に係る枝受け整理用手動車の平面図であり、図２は、同じく正面図であり、図３は、同じく右側面図であり、図４は、荷台と兼用のスタンドにコンテナを装着した状態を示す正面図である。図５は、本発明の実施の形態に係る枝受け整理用手動車の使用状態を例示する斜視図であり、図６は、収納箱に締め付け用紐と結束用紐を装着した状態を例示する斜視図である。
【０００８】
前記図において、１１は、枝受け整理用手動車であって、車体１２に取り付けられ、底板１ａと該底板１ａから上方に向けて断面がほぼＶ字状に傾斜する側面板１ｂ，１ｂと該側面板１ｂ，１ｂの後端部に設けられる後方壁１ｃとからなり、上方及び前方に開口する枝投入口を設けた収納箱１と、収納箱１の前方を上向きに傾斜して停止しておくスタンド３と、車体１２を移動するための移動用車輪１３と、車体前方のハンドル１４に設けられた小枝収納具（袋ガイド籠２）と、結束用締め付け装置とを備えてなる。
【０００９】
前記収納箱に設けられる結束用締め付け装置１５は、収納箱に収納された枝を締め付けるための締め付け用紐５と、該紐が底板の貫通孔９を通して連結されるロッド６と、シャフト８を介してロッド６の他端と連結し、ロッド６と連動するシフトレバー４を備えている。図６に示すように、シフトレバー４は、収納箱１の後方壁１ｃの外側に設けられた溝付きホルダー１０に、シャフト８を支点として左右動可能、且つ溝に固定可能に係着されている。図２に示すように、シフトレバー４の下端部にはシャフト８がシフトレバー４に対してほぼ直角に連結されている。シャフト８は、収納箱の底板１ａに回転可能に取り付けられている。シャフト８の先端部には、シャフト８に対して直角方向にロッド６が連結されている。貫通孔９と交差するロッド６の交差部が紐取付部６ａとなる。
【００１０】
図６に示すように、最初はシフトレバー４をホルダー１０の右寄りの溝に固定しておく（本発明の実施の形態において「ホルダー１０の右」乃至「ホルダー１０の左」の「右」乃至「左」は、図６を基準とする）。このとき、ロッド６は、収納箱の底板１ａに接した状態にあり、収納箱内の締め付け用紐５，５は最も長くなった状態にある。この状態で、締め付け用紐５，５を収納箱の左右の側面板１ｂ，１ｂにそれぞれ配置しておく。併せて、結束用紐７を締め付け用紐５，５と並べて配置しておく。締め付け用紐５は、一本乃至二本の紐を用い、その収納箱内にある端部の一方にフック５ａが、他方に輪５ｂが取り付けられており、両方の紐５，５の他端部（連続した一本の紐の場合はその中間部）が貫通孔９を通り、ロッド６の紐取付部６ａに取り付けられている。収納箱にせん定した枝が満たされた後、締め付け用紐５，５のフック５ａと輪５ｂを連結すると、連続した締め付け用紐５をせん定枝に巻きつけた状態になる。
【００１１】
この状態で、シフトレバー４をホルダー１０の左に操作すると、シャフト８の連結部６ｂを支点として、シフトレバー４が動いた角と同じ角度だけロッド６が下方に旋回する。この旋回によりロッド６の紐取付部６ａが移動した距離だけ、締め付け用紐５が下方に引っ張られて緊張し、テコの原理でせん定枝が堅く締め付けられることとなる。この状態で、シフトレバー４をホルダー１０の左寄りの溝に固定しておけば、締め付けられた結束状態をそのまま保持し得る。シフトレバー４を左に操作する角度に応じてせん定枝を堅く或いは緩く締めることができるので、せん定枝の数量や結束堅さに応じて固定する溝の位置を適宜選択すればよい。
【００１２】
更に、この結束状態でせん定枝を結束用紐７で結束すれば、さして大きな力を要せずしてせん定枝を堅く結束することができるのである。せん定枝を結束した後、シフトレバー４をホルダー１０の右寄りに操作して溝に固定して締め付け用紐５を緩め、締め付け用紐５のフック５ａと輪５ｂを取り外して、その後結束したせん定枝を収納箱から取り出す。この一連の作業は、作業者の腰の高さででき、従来の中腰での作業が回避できるので、腰痛になる等の弊害を防止できる。
【００１３】
また、図３に示すように、本発明の実施の形態に係る枝受け整理用手動車を停止した状態において、収納箱１は、前方を上向きに傾斜した状態となる。従って、この状態で、収納箱にせん定した枝を投げ込めば、枝は重力により下方に滑動し、枝の先端部が後方壁１ｃに突き当たって停止する。このようにして、枝は、後方壁１ｃの面で一端が揃った状態で整理されるのである。収納箱１の傾斜角度は、せん定した枝が滑動し、且つ収納箱１が後方に倒れない範囲で、車体１２に対するスタンド３の角度を変えて調整する。この状態で、ハンドル１４は地面に対してほぼ水平になることが好ましい。
【００１４】
また、図５に示すように、小枝収納具（袋ガイド籠２）に収納袋１７を取り付けて短い枝などを収納できる。袋ガイド籠２に代えて収納籠などを装着してもよい。また、図４に示すように、荷台と兼用のスタンド３は、前記収納袋１７の受け台であるとともに、この上に収納用のコンテナ１６、せん定に使用する道具又は資材などを乗せる載置台でもある。そして、前記収納された枝は、収納袋１７やコンテナ１６毎交換できて便利である。
【００１５】
【発明の効果】
本発明の枝受け整理用手動車は、前記のように構成されるので、枝受け整理用手動車を自由に移動してせん定作業をする近くに止めておくことができる。また、せん定した枝をその場で長い枝と短い枝に選別して簡単に分別・整理することができるので、従来のような無駄な手間を要さずに済み、作業時間の短縮と作業性の効率化が図られる。更に、結束用締め付け装置によって、さして大きな力を要せずしてせん定した枝を堅く結束することができ、女性や老人ないし子供でも簡単に作業できるので、作業者である労働力の活用と拡大が図られ産業上の利用価値が高い。併せて、枝受け整理用手動車の構造は、極めてシンプルであり故障することもなく、経済的な効果が期待できる。
【図面の簡単な説明】
【図１】本発明の実施の形態に係る枝受け整理用手動車の平面図である。
【図２】本発明の実施の形態に係る枝受け整理用手動車の正面図である。
【図３】本発明の実施の形態に係る枝受け整理用手動車の右側面図である。
【図４】本発明の実施の形態に係る枝受け整理用手動車の荷台と兼用のスタンドにコンテナを装着した状態を示す正面図である。
【図５】本発明の実施の形態に係る枝受け整理用手動車の使用状態を例示する斜視図である。
【図６】本発明の実施の形態に係る枝受け整理用手動車の収納箱に締め付け用紐と結束用紐を装着した状態を例示する斜視図である。
【符号の説明】
１：収納箱、１ａ：底板、１ｂ：側面板、１ｃ：後方壁、２：袋ガイド籠、３：荷台と兼用のスタンド、４：シフトレバー、５：締め付け用紐、５ａ：フック、５ｂ：輪、６：ロッド（Ｒｏｄ）、６ａ：紐取付部、６ｂ：シャフト連結部、７：結束用紐、８：シャフト、９：貫通孔、１０：ホルダー、
１１：枝受け整理用手動車、１２：車体、１３：移動用車輪、１４：ハンドル、１５：結束用締め付け装置、１６：コンテナ、１７：収納袋
【手続補正２】
【補正対象書類名】図面
【補正対象項目名】全図
【補正方法】変更
【補正の内容】
【図１】
2004222700.tif 000001
【図２】
2004222700.tif 000002
【図３】
2004222700.tif 000003
【図４】
2004222700.tif 000004
【図５】
2004222700.tif 000005
【図６】
2004222700.tif 000006